(57)【要約】      （修正有）【課題】写経を行う際の高さ、光源からの光量や温度などの調整が容易であるとともに、写経という慣習にもなじみやすい写経用机を提供する。【解決手段】写経用机３０は、木製を基本構造とする写経用机本体１と前脚９ａ，ｂ及び後脚１１ａを有している。写経用机本体１の上面は、透明なガラス板３であり、その内部には光源として１本又は複数本の蛍光灯を有している。写経用机本体１の内側には、白色系の塗料が塗布されており、前脚９ａ，ｂ及び後脚１１ａは取付・取外が可能である。さらに、光源となる蛍光灯の位置及び個数は切替が可能である。【選択図】図１
0003194145.tif 000002
【実用新案登録請求の範囲】
【請求項１】
写経用机３０であって、
前記写経用机３０は、木製を基本構造とする写経用机本体１と前脚９ａ，ｂ及び後脚１１ａ，ｂとを有するものであり、
前記写経用机本体１の上面は、透明なガラス板３で構成されており、その内部には光源として、１本又は複数本の蛍光灯１９ａ〜ｃを有している
ことを特徴とする写経用机３０
【請求項２】
前記写経用机本体１の内側には、白色系の塗料が塗布されている
ことを特徴とする請求項１に記載の写経用机３０
【請求項３】
前記前脚９ａ，ｂ及び後脚１１ａ，ｂは、着脱可能である
ことを特徴とする請求項１又は請求項２に記載の写経用机３０
【請求項４】
前記蛍光灯１９ａ〜ｃは、点灯する位置及び個数が切替可能である
ことを特徴とする請求項１乃至請求項３のいずれか一項に記載の写経用机３０
【考案の詳細な説明】
【技術分野】
【０００１】
本考案は、般若心経などのお経を、毛筆で写経する際に適する写経用机に関するものである。
【背景技術】
【０００２】
近年において、一心不乱に般若心経などのお経を毛筆で写経をすることによって、日常生活の忙しさや煩わしさを忘れ、精神的な安定性をはかるとともに、先祖への供養をはかりたいと願う人々が増加している。
【０００３】
一般的に般若心経などのお経を写経するには、お手本を畳の上に広げて、その傍でそのお手本を見ながら一文字ずつ毛筆で和紙に写経をしていくのが一般的である。
【０００４】
しかしながら、写経作業を続けていくうちに疲労などから、お手本の文字を読み間違えたり、行を飛ばして読んだりするような場合も生じてくる。このような場合には、かえって心が乱れてしまうというような問題点がある。
【０００５】
そこで、光源の付いた金属製の持ち運びが容易な書写台の考案が開示されている（特許文献１）。この書写台を用いると、お手本となるお経を書写台の上に置き、さらにその上に和紙を重ねた状態で写経をすることができるので文字を読み飛ばしたり、行を間違えたりするようなことはない。
【０００６】
なお、特許文献１に記載されている書写台は金属製のものであり、光源として発光ダイオードを用いるものである。すなわち、光源として発光ダイオードを用いているので、消費電力を抑えることができるという特長や、発熱しにくいので金属製の書写台であっても火傷等の危険性はないという特長を有している。
【先行技術文献】
【特許文献】
【０００７】
【特許文献１】実用新案登録第３１５５４４８号公報
【考案の概要】
【考案が解決しようとする課題】
【０００８】
しかしながら、上述した特許文献１に記載されているような書写台は、光源として発光ダイオードを用いているので書写面の温度が上がりにくく、和紙に毛筆で書いた文字が乾きにくいという問題点や、さらには和紙にしみ込んだ墨汁によって下方の重ねたお手本を汚してしまうという問題点があった。
【０００９】
また、光源として高価な発光ダイオードを用いているのでコスト高になるという問題点もある。加えて、書写台本体が金属製なので冷たいという印象があり、写経という慣習にはなじみにくいという問題点がある。
【００１０】
本考案は、写経用机の上面のガラス板の温度を最適な状態に保つことができ、低コストで、写経という慣習にもなじみやすい写経用机の提供を目的としている。
【課題を解決するための手段】
【００１１】
本考案は、上述したような従来から使用されている写経用机の問題点を解決するものである。
【００１２】
請求項１に記載された考案は、写経用机３０であって、前記写経用机３０は、木製を基本構造とする写経用机本体１と前脚９ａ，ｂ及び後脚１１ａ，ｂとを有するものであり、前記写経用机本体１の上面は、透明なガラス板３で構成されており、その内部には光源として、１本又は複数本の蛍光灯１９ａ〜ｃを有していることを特徴としている。
【００１３】
請求項１に記載の考案を用いると、木製を基本構造とする写経用机本体１と、断熱性に優れたガラス板３等で構成することによって、光源からの熱の放射を防止して適度な温度状態に保ったりできるとともに、低コストで木のぬくもりを感じたりすることができる。したがって、写経という慣習にもなじみやすい写経用机を提供することができる。
【００１４】
請求項２に記載された考案は、請求項１に記載の考案において、前記写経用机本体１の内側には、白色系の塗料が塗布されていることを特徴としている。
【００１５】
請求項２に記載の考案によると、光源である蛍光灯１９ａ，ｂからの光のかなりの部分を、ガラス板３の方向に反射させることができるので、前板、側板等からの放熱量を抑制することができる。
【００１６】
請求項３に記載された考案は、請求項１又は請求項２に記載の考案において、前記前脚９ａ，ｂ及び後脚１１ａ，ｂは着脱可能であることを特徴としている。
【００１７】
請求項３に記載の考案によると、写経をする者の好みや、写経時の気分や体調等によって、お手本等を置くガラス板３の高さを調節可能にすることができる。
【００１８】
請求項４に記載の考案は、請求項１乃至請求項３のいずれか一項に記載の考案において、前記蛍光灯１９ａ〜ｃは、点灯する位置及び個数が切替可能であることを特徴としている。
【００１９】
請求項４に記載の考案によると、お手本や写経するための和紙の厚み等に応じて適宜、蛍光灯の本数や位置を変更して光量や発熱量を調整することができる。
【考案の効果】
【００２０】
本考案を用いると、写経用机の上面のガラス板の温度を最適な状態に保つことができるとともに、低コストであり、写経という慣習にもなじみやすい写経用机を提供することができる。
【図面の簡単な説明】
【００２１】
【図１】写経用机の概略構造図である。
【００２２】
（ａ）脚を取付けた状態である。
【００２３】
（ｂ）脚を取外した状態である。
【図２】写経用机本体の内部構造の斜視図である。
【図３】写経用机の使用方法の概略図である。
【考案を実施するための形態】
【００２４】
以下において、本考案に係わる写経用机の実施の形態について図１〜図３を用いて詳細に説明する。
【００２５】
・  写経用机の概略構造＞
本考案に係わる写経用机３０の概略構造図を図１に示す。本考案に係わる写経用机本体１は、木製を基本構造としている。すなわち、写経用机本体１の上面を除く外側面が木製の板で構成されており、その上面がガラス板３、例えば、透明で断熱性に優れ傷つきにくいガラス板３によって構成されている。このガラス板３は、写経用机本体１に図示されていない治具で固定されている。
【００２６】
図１（ａ）には、写経用机本体１に４本の脚を有するものが（一対の前脚９ａ，ｂと後脚１１ａ，ｂ。なお、後脚１１ｂは図示されていない。）、図１（ｂ）には、４本の脚を取り外した状態のものがそれぞれ図示されている。
【００２７】
本考案に係わる写経用机３０は、着座して写経をする者の体型や体調等を考慮して、その４本の脚（前脚９ａ，ｂ、後脚１１ａ，ｂ）を取付・取外可能な構造にした。すなわち、写経をする者の好みや、写経時の気分や体調等によって、お手本等を置くガラス板３の高さを調節可能な構造にした。
【００２８】
なお、写経用机本体１に、前脚９ａ，ｂや後脚１１ａ，ｂを固定するには数多くの手段がある。例えば、写経用机本体１又は前脚９ａ，ｂや後脚１１ａ，ｂのいずれか一方に、図示されていないボルトが固定されており、他方にナットが固定されており、それらのボルトとナットを螺合させて写経用机本体１と前脚９ａ，ｂや後脚１１ａ，ｂとを固定する手段が一般的に用いられている。
【００２９】
写経用机本体１は、上面がガラス板３で構成されており、その他の前板５、一対の側板７ａ，ｂ、図示されていない後板６や底板１０などは木製の板（木板）を用いるようにした（図１、図２）。
【００３０】
写経用机本体１を、断熱性に優れたガラス板３と木製の板とで構成することによって、光源からの熱の放射を防止してガラス板３の表面を適度な温度状態に保ったり、木のぬくもりを感じさせたりすることができる。
【００３１】
なお、写経用机本体１上面のガラス板３の厚みとして、５ｍｍ程度にすると、十分な強度を有している点や後述するように断熱性・保温性等の点などからも好ましいことがわかった。
＜２．写経用机本体の内部構造＞
本考案に係わる写経用机本体１の内部構造図を図２に示す。図２は、図１（ａ）の状態から、写経用机本体１の上面に設置されているガラス板３を取り外した状態の内部構造の斜視図である。
【００３２】
図２においては、３個のソケットを有しており、そのうちの２個のソケットａ、ｂにそれぞれ蛍光灯１９ａ，ｂが取り付けられている状態が示されている。
【００３３】
すなわち、本考案では、光源として、例えば、１本〜３本の蛍光灯１９ａ〜ｃをソケット２５ａ〜ｃに設置することができるようにした。そして、写経用机３０の寸法や必要な光量等から、２０ワット（Ｗ）の棒状をした蛍光灯１９ａ〜ｃを１本〜３本設置して使用するのが好ましいことがわかった。
【００３４】
これらの蛍光灯１９ａ〜ｃは、取付けや取外しが容易であるので、お手本や和紙の厚み等に応じて適宜、設置本数を変更して光量を調整することができる。なお、あらかじめ３本の蛍光灯１９ａ〜ｃをソケット２５ａ〜ｃに設置しておき、図示されていないスイッチによって点灯する蛍光灯の位置や個数を切替え可能にすることもできる。
【００３５】
例えば、お手本が厚くて見えにくかったり、室温が低温であって毛筆で書かれた文字が乾燥しにくかったりするような場合には、３本の蛍光灯を同時に使用できるようにした。一方、お手本が薄かったり、室内が低湿度で乾燥しやすかったりするような場合には、それらのうちの１本の蛍光灯のみを適宜選択して使用できるようにした。なお、通常の書写の場合には蛍光灯の数は２本が好ましい。
【００３６】
ここで、光源として発光ダイオードではなく、それよりも発熱量の大きな蛍光灯１９ａ〜ｃを用いることによって、適度な光量と発熱量をガラス板３に照射することができる。したがって、ガラス板３の温度を最適な温度範囲に保つことができる。
【００３７】
なお、光源として白熱電球を用いると、写経に必要な光量を得るにはワット数（Ｗ数）を大きくする必要があり、その結果、発熱量が高くなりすぎて写経用机本体１の温度が高くなるので安全性や使いやすさなどの点から好ましくないことがわかった。
【００３８】
そして、上述したように、光源として１本〜３本の蛍光灯１９ａ，ｂと、５ｍｍ程度のガラス板３を写経用机本体１の上面に設置することによって、そのガラス板３を適度な温度状態に保持できることが分かった。
【００３９】
したがって、本考案に係わる写経用机３０を用いると、墨汁をしみ込ませた毛筆を用いて和紙に写経した文字が乾きにくいというような問題点はなく、さらには和紙にしみ込んだ墨汁によって、重ねた下方のお手本を汚すというような問題点もない。
【００４０】
写経用机本体１の内側、すなわち、前板５、側板７ａ，ｂ、後板６、底板１０などの内側には白色系の塗料、例えば、チタン白などが含まれている塗料を塗布した。白色系塗料の塗布によって、光源である蛍光灯１９ａ，ｂからの光量のかなりの部分を反射することができるので、前板５、側板７ａ，ｂ等からの放熱量を抑制することができる。
【００４１】
すなわち、光源である蛍光灯１９ａ，ｂからの光は、そのほとんどをガラス板３に向けて照射又は反射することができるので、前板５、側板７ａ，ｂ、後板６、底板１０などが高温に加熱されるようなことはない。
＜３．写経用机の使用方法＞
本考案に係わる写経用机３０の使用方法について説明する（図３）。最初に、着座した写経者４０の体調等を考慮して、前脚９ａ，ｂや後脚１１ａ，ｂを使用するか否かを決定する。図３では、前脚９ａ，ｂや後脚１１ａ，ｂを使用している場合の使用例について図示されている（図１（ａ））。
【００４２】
次に、お手本や和紙の厚さ、写経時の温度や湿度などに応じて光源として用いる蛍光灯１９ａ〜ｃの個数や位置等を決定する。すなわち、お手本や写経用の和紙が厚いような場合や、外気温が低く乾燥しにくいような場合には、蛍光灯１９ａ〜ｃの本数を、例えば、２本又は３本に増やすようにする。その後、写経者４０は、写経用机本体１にガラス板３を載置し、お手本の上に和紙を重ね、必要な個数や位置の蛍光灯１９ａ〜ｃを点灯させて毛筆を用いて写経する。
【００４３】
上述したように、本考案に係わる木製の写経用机３０を用いると、写経を行う際のガラス板の高さ、光源からの光量や温度などの調整が容易であるとともに、写経という慣習にもなじみやすい。したがって、落ち着いた心境で、かつスムーズに般若心経などのお経を写経することができる。
【産業上の利用可能性】
【００４４】
本考案は、般若心経などを写経する際に使用するための写経用机として利用をすることができる。
【符号の説明】
【００４５】
１  写経用机本体
３  ガラス板
５  前板
６  後板
７ａ，ｂ  側板
８  底板
９ａ，ｂ  前脚
１１ａ，ｂ  後脚
１３  電源コード
１７  コンセント
１９ａ〜ｃ  蛍光灯
２１  反射用塗料
２３  毛筆
２５ａ，ｂ，ｃ  ソケット
３０  写経用机
４０  写経者
【図１】
0003194145.tif 000003
【図２】
0003194145.tif 000004
【図３】
0003194145.tif 000005